(57)【要約】【課題】本発明は屋外用手持ち小型扇風機を開示した。【解決手段】手持ち殼を含み、前記手持ち殼の中には上方に開口したバネチャンバが設けられ、コントロールスリーブを回すことにより、コントロールスリーブが伸縮ロッドを下に運動連動させて伸縮ロッドをバネチャンバの中に収めて保護し、コントロールスリーブが伸縮ロッドを上に運動連動させて伸縮ロッドを伸びさせた後に使用し、本発明は羽根を取り外して分けて保存することができ、羽根が壊れることを避け、収縮部品によってモーターを手持ち殼の中に収縮させ、モーターを保護し、ファンが占めている空間を減らし、屋外で携帯することに便利であり、補助機能によってファンが更に多くの環境に対応でき、使用が便利である。【選択図】図１
2020176621.tif 000002
【特許請求の範囲】
【請求項１】
手持ち殼を含み、前記手持ち殼の中には上方に開口したバネチャンバが設けられ、前記バネチャンバの中には扇風機を収めて保護する収縮部品が設けられ、前記収縮部品は前記バネチャンバの左右内壁に左右に対称的に固定的に取り付けられたガイドの作用を果たすガイドブロックを含み、前記バネチャンバの中には扇風機を支持する伸縮ロッドがスライドできるように係合し取り付けられ、前記手持ち殼の頂部端面には前記収縮ロッドの収縮をコントロールするコントロールスリーブが回転できるように係合し取り付けられ、前記収縮部品の上側には羽根固定部品が設けられ、前記羽根固定部品は第一引掛り盤と第二引掛り盤とを含み、前記第一引掛り盤の前側端面には前方に開口した中心に対称的な取り付け溝が設けられ、前記取り付け溝の中には羽根が固定的に取り付けられ、前記第一引掛り盤の前側端面には前方に開口したスライドバックルチャンバが設けられ、前記スライドバックルチャンバの上下内壁の中には前記スライドバックルチャンバと連通しているプッシュブロック溝が上下に対称的に設けられ、前記第二引掛り盤の後側内壁には前記プッシュブロック溝を固定することができるスライドバックルが固定的に取り付けられ、前記プッシュブロック溝の中には前記スライドバックルを押し動かして固定状態から離脱させることができるプッシュブロックがスライドできるように係合し取り付けられ、前記手持ち殼には補助部品が設けられ、前記補助部品は前記手持ち殼の左側端面に固定的に取り付けられた手持ちベルトと、照明に使われる電球と掛けることができるホックを含むことを特徴とする屋外用手持ち小型扇風機。
【請求項２】
前記収縮部品はねじ山によって前記手持ち殼の頂部端面に係合し取り付けられた固定スリーブも含み、前記伸縮ロッドの左右端面にはスライドブロックが固定的に取り付けられ、前記スライドブロックと前記ガイドブロックとがスライドできるように取り付けられ、前記伸縮ロッドの底部端面と前記バネチャンバの底壁との間にはプッシュバネが固定的に取り付けられ、前記コントロールスリーブと前記伸縮ロッドとがねじ山によって係合され、前記手持ち殼の中にはバッテリーが固定的に取り付けられ、前記手持ち殼の右側端面には右方に開口した羽根置き溝が設けられ、前記手持ち殼の左側端面には充電口が設けられ、コントロールスリーブを回すことにより、コントロールスリーブが伸縮ロッドを下に運動連動させて伸縮ロッドをバネチャンバの中に収めて保護し、コントロールスリーブが伸縮ロッドを上に運動連動させて伸縮ロッドを伸びさせた後に使用することを特徴とする請求項１に記載の屋外用手持ち小型扇風機。
【請求項３】
前記羽根固定部品は前記伸縮ロッドの頂部端面に固定的に取り付けられたヒンジ台も含み、前記ヒンジ台にはモーターケースがヒンジによって係合し取り付けられ、前記モーターケースの中にはモーターが固定的に取り付けられ、前記モーターの前側出力軸端面にはモーター軸が固定的に連結され、前記第一引掛り盤が前記モーター軸の前側端面に固定的に取り付けられ、前記スライドバックルチャンバが前記第一引掛り盤の前側端面に設けられ、前記プッシュブロック溝が前記スライドバックルチャンバの上下内壁に上下に対称的に設けられ、前記スライドバックルチャンバと前記第一引掛り盤の上下端面との間にはスライド軸がスライドできるように係合し取り付けられ、前記スライド軸の頂部端面にはボタンが固定的に取り付けられ、前記プッシュブロックと前記スライド軸とが固定的に取り付けられ、前記第二引掛り盤が前記第一引掛り盤の前側端面に固定的に取り付けられ、前記第二引掛り盤の後側端面には固定ピンが上下に対称的に固定的に取り付けられ、前記羽根と前記固定ピンとがスライドできるように係合し取り付けられ、羽根を取り付け溝の中に挿した後に、第二引掛り盤を押すことによりスライドバックルとプッシュブロック溝とを固定させ、羽根が取り付け溝の中に固定的に取り付けられ、ボタンを押し、ボタンがプッシュブロックを連動させ、プッシュブロックがスライドバックルとプッシュブロック溝との固定状態を解除し、第二引掛り盤が第一引掛り盤から離れることができ、羽根が取り外せることを特徴とする請求項１に記載の屋外用手持ち小型扇風機。
【請求項４】
前記補助部品は前記手持ち殼の底部末端に設けられた連結台も含み、前記連結台の前後内壁の間にはスタンドがヒンジによって係合し取り付けられ、前記電球が前記スタンドの右側端面に固定的に取り付けられ、これによりスタンドを回すことで装置をしっかりとテーブルに置くことができ、電球によって補助的に照明でき、手持ちベルトによって手で取ることができて便利であり、ホックによって掛けることができて便利であることを特徴とする請求項１に記載の屋外用手持ち小型扇風機。
【発明の詳細な説明】
【技術分野】
【０００１】
本発明は屋外用品分野を取り上げて、具体的には屋外用手持ち小型扇風機である。
【背景技術】
【０００２】
暑い夏に人々が屋外で運動する時に、常に扇風機を使って放熱し、今使用されている屋外小型扇風機が大きな空間を占め、携帯に不便であり、特に羽根のところが非常に壊れやすく、ファンを使用する時に手で持つしかできなく、屋外の異なる使用環境に対応できなく、従って、携帯に便利である屋外手持ち扇風機が必要とされ、扇風機の羽根が壊れないように保護できる。
【先行技術文献】
【特許文献】
【０００３】
【特許文献１】中国特許出願公開第１０３８６７４６７号明細書
【発明の概要】
【発明が解決しようとする課題】
【０００４】
本発明の目的は屋外用手持ち小型扇風機を提供し、それは上記の現在の技術中の問題を解決できる。
【課題を解決するための手段】
【０００５】
本発明の屋外用手持ち小型扇風機は、手持ち殼を含み、前記手持ち殼の中には上方に開口したバネチャンバが設けられ、前記バネチャンバの中には扇風機を収めて保護する収縮部品が設けられ、前記収縮部品は前記バネチャンバの左右内壁に左右に対称的に固定的に取り付けられたガイドの作用を果たすガイドブロックを含み、前記バネチャンバの中には扇風機を支持する伸縮ロッドがスライドできるように係合し取り付けられ、前記手持ち殼の頂部端面には前記収縮ロッドの収縮をコントロールするコントロールスリーブが回転できるように係合し取り付けられ、前記収縮部品の上側には羽根固定部品が設けられ、前記羽根固定部品は第一引掛り盤と第二引掛り盤とを含み、前記第一引掛り盤の前側端面には前方に開口した中心に対称的な取り付け溝が設けられ、前記取り付け溝の中には羽根が固定的に取り付けられ、前記第一引掛り盤の前側端面には前方に開口したスライドバックルチャンバが設けられ、前記スライドバックルチャンバの上下内壁の中には前記スライドバックルチャンバと連通しているプッシュブロック溝が上下に対称的に設けられ、前記第二引掛り盤の後側内壁には前記プッシュブロック溝を固定することができるスライドバックルが固定的に取り付けられ、前記プッシュブロック溝の中には前記スライドバックルを押し動かして固定状態から離脱させることができるプッシュブロックがスライドできるように係合し取り付けられ、前記手持ち殼には補助部品が設けられ、前記補助部品は前記手持ち殼の左側端面に固定的に取り付けられた手持ちベルトと、照明に使われる電球と掛けることができるホックを含む。
【０００６】
更の技術プラン、前記収縮部品はねじ山によって前記手持ち殼の頂部端面に係合し取り付けられた固定スリーブも含み、前記伸縮ロッドの左右端面にはスライドブロックが固定的に取り付けられ、前記スライドブロックと前記ガイドブロックとがスライドできるように取り付けられ、前記伸縮ロッドの底部端面と前記バネチャンバの底壁との間にはプッシュバネが固定的に取り付けられ、前記コントロールスリーブと前記伸縮ロッドとがねじ山によって係合され、前記手持ち殼の中にはバッテリーが固定的に取り付けられ、前記手持ち殼の右側端面には右方に開口した羽根置き溝が設けられ、前記手持ち殼の左側端面には充電口が設けられる。
【０００７】
更の技術プラン、記羽根固定部品は前記伸縮ロッドの頂部端面に固定的に取り付けられたヒンジ台も含み、前記ヒンジ台にはモーターケースがヒンジによって係合し取り付けられ、前記モーターケースの中にはモーターが固定的に取り付けられ、前記モーターの前側出力軸端面にはモーター軸が固定的に連結され、前記第一引掛り盤が前記モーター軸の前側端面に固定的に取り付けられ、前記スライドバックルチャンバが前記第一引掛り盤の前側端面に設けられ、前記プッシュブロック溝が前記スライドバックルチャンバの上下内壁に上下に対称的に設けられ、前記スライドバックルチャンバと前記第一引掛り盤の上下端面との間にはスライド軸がスライドできるように係合し取り付けられ、前記スライド軸の頂部端面にはボタンが固定的に取り付けられ、前記プッシュブロックと前記スライド軸とが固定的に取り付けられ、前記第二引掛り盤が前記第一引掛り盤の前側端面に固定的に取り付けられ、前記第二引掛り盤の後側端面には固定ピンが上下に対称的に固定的に取り付けられ、前記羽根と前記固定ピンとがスライドできるように係合し取り付けられる。
【０００８】
更の技術プラン、前記補助部品は前記手持ち殼の底部末端に設けられた連結台も含み、前記連結台の前後内壁の間にはスタンドがヒンジによって係合し取り付けられ、前記電球が前記スタンドの右側端面に固定的に取り付けられる。
【発明の効果】
【０００９】
本発明は羽根を取り外して分けて保存することができ、羽根が壊れることを避け、収縮部品によってモーターを手持ち殼の中に収縮させ、モーターを保護し、ファンが占めている空間を減らし、屋外で携帯することに便利であり、補助機能によってファンが更に多くの環境に対応でき、使用が便利であり、普及価値がある。
【図面の簡単な説明】
【００１０】
【図１】図１は本発明の全体構成略図
【図２】図２は図１のＡ−Ａの断面構成略図
【図３】図３は図２のＢの拡大構成略図
【発明を実施するための形態】
【００１１】
以下、図１〜３を合わせて本発明について詳しく説明し、また、説明の便利を図るため、下記に記載の上下左右前後方向が図１自身の投影関係の上下左右前後方向と一致することにする。
【００１２】
図１〜３を参照し、本発明の屋外用手持ち小型扇風機は、手持ち殼１４を含み、前記手持ち殼１４の中には上方に開口したバネチャンバ１９が設けられ、前記バネチャンバ１９の中には扇風機を収めて保護する収縮部品８０が設けられ、前記収縮部品８０は前記バネチャンバ１９の左右内壁に左右に対称的に固定的に取り付けられたガイドの作用を果たすガイドブロック２１を含み、前記バネチャンバ１９の中には扇風機を支持する伸縮ロッド２３がスライドできるように係合し取り付けられ、前記手持ち殼１４の頂部端面には前記収縮ロッド２３の収縮をコントロールするコントロールスリーブ２５が回転できるように係合し取り付けられ、前記収縮部品８０の上側には羽根固定部品８１が設けられ、前記羽根固定部品８１は第一引掛り盤３０と第二引掛り盤２８とを含み、前記第一引掛り盤３０の前側端面には前方に開口した中心に対称的な取り付け溝３７が設けられ、前記取り付け溝３７の中には羽根２６が固定的に取り付けられ、前記第一引掛り盤３０の前側端面には前方に開口したスライドバックルチャンバ３５が設けられ、前記スライドバックルチャンバ３５の上下内壁の中には前記スライドバックルチャンバ３５と連通しているプッシュブロック溝３３が上下に対称的に設けられ、前記第二引掛り盤２８の後側内壁には前記プッシュブロック溝３３を固定することができるスライドバックル３６が固定的に取り付けられ、前記プッシュブロック溝３３の中には前記スライドバックル３６を押し動かして固定状態から離脱させることができるプッシュブロック３４がスライドできるように係合し取り付けられ、前記手持ち殼１４には補助部品８２が設けられ、前記補助部品８２は前記手持ち殼１４の左側端面に固定的に取り付けられた手持ちベルト１３と、照明に使われる電球１１と掛けることができるホック４０を含む。
【００１３】
前記収縮部品８０はねじ山によって前記手持ち殼１４の頂部端面に係合し取り付けられた固定スリーブ２４も含み、前記伸縮ロッド２３の左右端面にはスライドブロック２２が固定的に取り付けられ、前記スライドブロック２２と前記ガイドブロック２１とがスライドできるように取り付けられ、前記伸縮ロッド２３の底部端面と前記バネチャンバ１９の底壁との間にはプッシュバネ２０が固定的に取り付けられ、前記コントロールスリーブ２５と前記伸縮ロッド２３とがねじ山によって係合され、前記手持ち殼１４の中にはバッテリー１６が固定的に取り付けられ、前記手持ち殼１４の右側端面には右方に開口した羽根置き溝１７が設けられ、前記手持ち殼１４の左側端面には充電口１５が設けられ、コントロールスリーブ２５を回すことにより、コントロールスリーブ２５が伸縮ロッド２３を下に運動連動させて伸縮ロッド２３をバネチャンバ１９の中に収めて保護し、コントロールスリーブ２５が伸縮ロッド２３を上に運動連動させて伸縮ロッド２３を伸びさせた後に使用する。
【００１４】
前記羽根固定部品８１は前記伸縮ロッド２３の頂部端面に固定的に取り付けられたヒンジ台３９も含み、前記ヒンジ台３９にはモーターケース２７がヒンジによって係合し取り付けられ、前記モーターケース２７の中にはモーター４１が固定的に取り付けられ、前記モーター４１の前側出力軸端面にはモーター軸２９が固定的に連結され、前記第一引掛り盤３０が前記モーター軸２９の前側端面に固定的に取り付けられ、前記スライドバックルチャンバ３５が前記第一引掛り盤３０の前側端面に設けられ、前記プッシュブロック溝３３が前記スライドバックルチャンバ３５の上下内壁に上下に対称的に設けられ、前記スライドバックルチャンバ３５と前記第一引掛り盤３０の上下端面との間にはスライド軸３２がスライドできるように係合し取り付けられ、前記スライド軸３２の頂部端面にはボタン３１が固定的に取り付けられ、前記プッシュブロック３４と前記スライド軸３２とが固定的に取り付けられ、前記第二引掛り盤２８が前記第一引掛り盤３０の前側端面に固定的に取り付けられ、前記第二引掛り盤２８の後側端面には固定ピン３８が上下に対称的に固定的に取り付けられ、前記羽根２６と前記固定ピン３８とがスライドできるように係合し取り付けられ、羽根２６を取り付け溝３７の中に挿した後に、第二引掛り盤２８を押すことによりスライドバックル３６とプッシュブロック溝３３とを固定させ、羽根２６が取り付け溝３７の中に固定的に取り付けられ、ボタン３１を押し、ボタン３１がプッシュブロック３４を連動させ、プッシュブロック３４がスライドバックル３６とプッシュブロック溝３３との固定状態を解除し、第二引掛り盤２８が第一引掛り盤３０から離れることができ、羽根２６が取り外せる。
【００１５】
前記補助部品８２は前記手持ち殼１４の底部末端に設けられた連結台１２も含み、前記連結台１２の前後内壁の間にはスタンド１０がヒンジによって係合し取り付けられ、前記電球１１が前記スタンド１０の右側端面に固定的に取り付けられ、これによりスタンド１０を回すことで装置をしっかりとテーブルに置くことができ、電球１１によって補助的に照明でき、手持ちベルト１３によって手で取ることができて便利であり、ホック４０によって掛けることができて便利である。
【００１６】
使用する時：コントロールスリーブ２５を回し、コントロールスリーブ２５が伸縮ロッド２３を上に運動連動させて伸び出させた後に、羽根２６を取り付け溝３７の中に挿し、第二引掛り盤２８を押すことによりスライドバックル３６とプッシュブロック溝３３とを固定させ、羽根２６が取り付け溝３７の中に固定的に取り付けられて使われることができ、使用後、ボタン３１を押し、ボタン３１がプッシュブロック３４を連動させ、プッシュブロック３４がスライドバックル３６とプッシュブロック溝３３との固定状態を解除し、第二引掛り盤２８が第一引掛り盤３０から離れることができ、羽根２６が取られて羽根置き溝１７の中に置かれ、コントロールスリーブ２５を回転させ、コントロールスリーブ２５が伸縮ロッド２３を下に運動連動させて伸縮ロッド２３をバネチャンバ１９の中に収めて保護させ、これによりスタンド１０を回すことで装置をしっかりとテーブルに置くことができ、電球１１によって補助的に照明でき、手持ちベルト１３によって手で取ることができて便利であり、ホック４０によって掛けることができて便利である。
【００１７】
本発明の有益効果は：本発明は羽根を取り外して分けて保存することができ、羽根が壊れることを避け、収縮部品によってモーターを手持ち殼の中に収縮させ、モーターを保護し、ファンが占めている空間を減らし、屋外で携帯することに便利であり、補助機能によってファンが更に多くの環境に対応でき、使用が便利であり、普及価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020176621.tif 000003
【図２】
2020176621.tif 000004
【図３】
2020176621.tif 000005